(57)【要約】【課題】  リード線やＦＰＣの引き回しのためのスペースが不要であり、また、半田付け量の誤差によるスペースの余裕を設ける必要がなく、さらに、生産工程が簡素化できる撮像装置を得る。【解決手段】  被写体からの光が入射する光学系と、この光学系を入力された電流に応じて駆動する駆動部と、この光学系および駆動部を格納するとともに駆動部へ電流を供給するための接続端子部を有するケース部と、前記光学系を介して被写体からの光を受光する受光素子と、この受光素子が表面に実装されるとともに、前記ケース部が表面に接着され、前記ケース部の前記接続端子部と弾性により接触が保たれるスプリングが表面に実装された基板とを備える構成とした。【選択図】          図１
2006270541.tif 000002
【特許請求の範囲】
【請求項１】
被写体からの光が入射する光学系と、
入力された電流に応じて前記光学系を所定の軸方向に沿って駆動する駆動部と、
前記光学系を介して被写体からの光を受光する受光部と、
この受光部が表面に実装された基板と、
前記光学系および前記駆動部を格納し、前記駆動部へ電流を供給するための接続端子部を有するとともに前記基板上に設けられたケース部と、
前記基板上に実装され、前記接続端子部と弾性により接触が保たれるスプリング部と、
を備えたことを特徴とする撮像装置。
【請求項２】
前記基板上に実装され、前記スプリング部と接続され、前記スプリング部および接続端子部を介して前記駆動部に電流を供給する制御ＩＣ部を備えることを特徴とする請求項１に記載の撮像装置。
【請求項３】
請求項１または２に記載の撮像装置を搭載したことを特徴とする携帯端末。
【発明の詳細な説明】
【技術分野】
【０００１】
本発明は、オートフォーカス機能を備えた小型撮像装置、およびこの小型撮像装置を搭載した携帯端末に関するものである。
【背景技術】
【０００２】
特許文献１には、アクティブ型測距装置の受光素子とオートフォーカス回路とを同一基板に搭載した、いわゆるセンサー一体基板を用いて自動焦点調節装置（オートフォーカス装置）を構成した場合に、リード線やＦＰＣ（Ｆｌｅｘｉｂｌｅ  Ｐｒｉｎｔｅｄ  Ｃｉｒｃｕｉｔ）などの接続用配線による基板の取り付け位置が狂ってしまうという問題点が記載されている。特許文献１では、接続用配線の配線方法を工夫することでこの問題を解決している。
【０００３】
【特許文献１】特開平５−１０７４６２号公報
【発明の開示】
【発明が解決しようとする課題】
【０００４】
従来の装置では、オートフォーカス動作をする機構部と動作を制御するために信号処理ＩＣの搭載された基板との接続は、それぞれの端子間をリード線やＦＰＣなどを用いて、はんだ付け等の方法により接続していた。そのため、リード線やＦＰＣの引き回しのためのスペースや、半田付け部分が装置の外形に露出している場合は、付けられた半田の量の誤差を考慮して周囲のスペースに余裕を設ける必要が生じ、装置の小型化に少なからず影響を及ぼしていた。また、生産工程においても、ＦＰＣおよびリード線を接続するための工程を必要として、オートフォーカス動作をする機構部側と動作を制御するための信号処理ＩＣの搭載された基板側との２回の接続工程が必要となっていた。
本発明は上記問題点を解決するためになされたものであり、リード線やＦＰＣの引き回しのためのスペースが不要であり、また、半田付け量の誤差によるスペースの余裕を設ける必要がなく、さらに、生産工程が簡素化できる撮像装置を得るものである。
【課題を解決するための手段】
【０００５】
本発明に係る撮像装置は、被写体からの光が入射する光学系と、この光学系を入力された電流に応じて駆動する駆動部と、この光学系および駆動部を格納するとともに駆動部へ電流を供給するための接続端子部を有するケース部と、前記光学系を介して被写体からの光を受光する受光素子と、この受光素子が表面に実装されるとともに、前記ケース部が表面に接着され、前記ケース部の前記接続端子部と弾性により接触が保たれるスプリングが表面に実装された基板とを備えるものである。
【発明の効果】
【０００６】
本発明は、被写体からの光が入射する光学系と、この光学系を入力された電流に応じて駆動する駆動部と、この光学系および駆動部を格納するとともに駆動部へ電流を供給するための接続端子部を有するケース部と、前記光学系を介して被写体からの光を受光する受光素子と、この受光素子が表面に実装されるとともに、前記ケース部が表面に接着され、前記ケース部の前記接続端子部と弾性により接触が保たれるスプリングが表面に実装された基板とを備えたものでありリード線やＦＰＣの引き回しのためのスペースが不要であり、また、半田付け量の誤差によるスペースの余裕を設ける必要がなく、さらに、生産工程が簡素化できる撮像装置を得るものである。
【発明を実施するための最良の形態】
【０００７】
実施の形態１．
図１は、本発明の実施の形態１に係る撮像装置の構成を示す側面断面図である。１は光学系機構部で、レンズ１ａはバレル１ｂに組み込まれており、バレル１ｂが駆動部１ｃにより駆動され上下動することで焦点位置を変化させオートフォーカス動作を行うものである。レンズ１ａへは窓部１ｄを介して被写体からの光が入射し、さらにレンズ１ａから受光素子センサー２へ入射する。
【０００８】
駆動部１ｃは図では略しているが、コイルあるいはモータ等からなり、外部の制御用ＩＣ（図１では図示せず。後述する図３における８）から供給される電流の量によって上下の方向と移動量が制御される。駆動部１ｃは外部との接続端子部５の上面とリード線で接続されている。さらに、接続端子部５の下面とスプリング４とが接触している。スプリング４は基板３に設けられたランド部７に半田付けされている。光学系機構部１は基板３上の接着面６において接着され固定されている。そして、接続端子部５の下面とスプリング４とはスプリング４の弾性により接触が保たれる。
また、９は受光素子２からの画像信号を外部に出力するための出力端子部であり、ＦＰＣ１０と基板３とを接続する。本発明の撮像装置を携帯通信端末に搭載する場合、ＦＰＣ１０の他端は、通信用の回路等を搭載したメイン基板（図示せず）と接続する。なお、受光素子２と出力端子部９とは基板３内の内層パターンにより接続される。
【０００９】
図２（ａ）、（ｂ）、（ｃ）は接続端子部５の構成を示す図である。接続端子部５は、例えば、基板５ａとしてガラスエポキシ基板を用い、この基板５ａの適当な箇所に接続端子部５が上下面に貫通して設けられ（図２（ｂ））、接続端子部５の光学系機構部１の駆動部１ｃと相対する面側（上面）には駆動部１ｃから延びたリード線が半田付けされ、反対側の面（下面）は基板３に半田付けされたスプリング４と、スプリング４の弾性により接触が保たれる。
その他に、図２（ｃ）に示したように基板５ａとしての樹脂を成形して接続端子部５である導電性の板状部材の周縁部を挟み込んだ構成としてもよい。この場合も接続端子部５の上面は駆動部１ｃからのリード線が半田付けされ、下面は基板３に半田付けされたスプリング４と接触する。
【００１０】
図３は光学系機構部１を基板３との接着面側から見た斜視図である。スプリング４に対応して２端子分の接続端子部５が設けられている。
【００１１】
図４は基板３の斜視図である。図４は光学系機構部１の実装前である。受光素子２やスプリング４は基板３上に表面実装される。基板３上には駆動部１ｃに電流を流すための制御用ＩＣ８が設けられている。制御用ＩＣ８はスプリング４と基板３内の内層パターンにより接続されている。また、図中のスプリング４は２端子分設けられているが、光軸に対して一方が上側（被写体側）移動、他方が下側（受光素子側）移動に対応するものである。図中では２端子のみ示したが、例えば、光学系機構部１が手ぶれ補正機構を備え、レンズ１ａが光軸（ｚ軸）に対して垂直面内（ｘｙ軸）を移動して手ブレを補正するような場合には垂直面内の４方向についても駆動を行うため、端子の数は４端子分増やす必要がある。なお、制御用ＩＣ８は別基板、例えば、携帯通信端末に搭載する場合にはメイン基板等に実装する構成としてもよい。
【００１２】
図５は本発明の小型撮像装置を携帯通信端末に搭載した場合のイメージ図である。図のように、携帯端末に搭載することで、従来はリード線を引き回していたものが不要となり、また、光学系機構部１の外形に設けられていたリード線との半田付け部分が不要となり、さらに、光学系機構部と基板との接続の際、半田付けが不要となるので組み立て作業が容易になる。
【産業上の利用可能性】
【００１３】
本発明の小型撮像装置は、携帯電話やＰＤＡ等の携帯端末に用いることができる。
【図面の簡単な説明】
【００１４】
【図１】本発明の撮像装置の側面断面図である。
【図２】（ａ）本発明のケース側の接続端子部の斜視図である。（ｂ）接続端子部の断面図の一例である。（ｃ）接続端子部の断面図の他の例である。
【図３】本発明の撮像装置の光学系機構部実装前の基板を示す図である。
【図４】本発明の撮像装置の光学系機構部の接続端子部を示す図である。
【図５】本発明の撮像装置を携帯端末に搭載した場合のイメージ図である。
【符号の説明】
【００１５】
１  光学系機構部、    １ａ  レンズ、    １ｂ  バレル、    １ｃ  駆動部、
２  受光素子、    ３  基板、    ４  スプリング、    ５  接続端子部、
５ａ  基板、    ６  接着部、    ７  ランド部、    ８  制御用ＩＣ、
９  出力端子部、    １０  ＦＰＣ
【図１】
2006270541.tif 000003
【図２】
2006270541.tif 000004
【図３】
2006270541.tif 000005
【図４】
2006270541.tif 000006
【図５】
2006270541.tif 000007